(57)【要約】      （修正有）【課題】軽量なカードなどを扱う場合にあっても、その拾い上げ（接着）と取り外し（離脱）を簡単かつ容易に行うことができる手の介助用具を提供する。【解決手段】接着部材２の近隣に、自由状態において前記接着部材２の接着面２ａより突出し、収縮状態において接着面２ａと同位置に変形する弾性部材３を配設する。そして、この弾性部材３の復元力を利用して、取り外しを容易に行わせる。【選択図】図１
0003180558.tif 000002
【実用新案登録請求の範囲】
【請求項１】
粘着性または磁着性の接着部材と、この接着部材を手のひら部に対応して保持する保持部材とを備えた手の介助用具において、
上記接着部材の近隣に自由状態において前記接着部材の接着面より突出し、収縮状態において接着面と同位置に変形する弾性部材を配設したことを特徴とする手の介助用具。
【請求項２】
接着部材の周囲に弾性部材を配設したことを特徴とする請求項１の手の介助用具。
【請求項３】
弾性部材の周囲に接着部材を配設したことを特徴とする請求項１の手の介助用具。
【請求項４】
一個または複数の接着部材に対して同数またはそれ以上の弾性部材を配設したことを特徴とする請求項２または請求項３の手の介助用具。
【考案の詳細な説明】
【技術分野】
【０００１】  本考案は、手に障害を持つ者、手の感覚が未熟な幼児などに供される手の介助用具に関するものである。
【背景技術】
【０００２】  従来、手のひら側に粘着剤を備えたバンドを装着し、この粘着剤によってスプーンなどをしっかりと保持するようにした手の介助用具が文献によって公知である。（特許文献１参照）【０００３】  また、手の掛けるバンドに磁気シートを備え、この磁気シートによってペンなどをしっかりと保持することができるようにした手の介助用具も文献によって知られている。（特許文献２参照）
【先行技術文献】
【特許文献】
【０００４】
【特許文献１】  実公平７−４１４５９号
【特許文献２】  実開平７−２３５８９号
【考案の概要】
【考案が解決しようとする課題】
【０００５】  従来例に記載された考案は、何れも対象物に対して大きな接着力を要するのであり、言い換えると小さい接着力のものでは脱落を招くなど用をなさないものである。従って、使用後においては、他方の手指を使って対象物を取り外さなければならない。【０００６】  ところで、上記の介助用具を使用して軽量で薄いカードを着脱するなどのゲームを想定したとき、その接着保持は簡単かつ強力に行なうことができる。しかしながら離脱に他方の手指を使わなければならず、面倒で煩わしく次の動作にスムーズに移ることができないなど不具合を生ずる。【０００７】  このことは手の障害者或いは未熟な幼児にとって顕著であり、ゲームの楽しさを逸してしまうなどの問題が指摘され、さらなる改良を求められた。【０００８】  本考案は、このような従来考案の持つ欠点を解消するためになされたものであり、軽量なカードなどを扱う場合にあっても、その拾い上げ（接着）と取り外し（離脱）を簡単かつ容易に行うことができる手の介助用具を提供しようとするものである。
【課題を解決するための手段】
【０００９】  上記の課題を解決するために、本考案に係る手の介助用具は、粘着性または磁着性の接着部材と、この接着部材を手のひら部に対応して保持する保持部材とを備えた手の介助用具において、上記接着部材の近隣に、自由状態において前記接着部材の接着面より突出し、収縮状態において接着面と同位置に変形する弾性部材を配設したことを特徴としている。【００１０】  また本考案に係る手の介助用具は、請求項２において、接着部材の周囲に弾性部材を配設したことを特徴としている。【００１１】  また本考案に係る手の介助用具は、請求項３において、弾性部材の周囲に接着部材を配設したことを特徴としている。【００１２】  また本考案に係る手の介助用具は、請求項４において、一個または複数の接着部材に対して同数またはそれ以上の弾性部材を配設したことを特徴としている。
【考案の効果】
【００１３】  テーブル上にあるカードなどに向けて手のひらを押し付けたとき、弾性部材が収縮変形し、接着部材がカードなどに接合する。このため、その接着面によりカードを接着して容易に拾い上げることができる。また時間の経過と共に、弾性部材が復元変形し、カードを離脱方向に押圧する。このために、目的の位置に移したカードなどを容易に取り外すことができる。よって、他方の手を使うなどの煩わしさを解消することができる。
【図面の簡単な説明】
【００１４】
【図１】  本考案に係る手の介助用具の一実施例を示す斜視図である。
【図２】  同じく、要部の縦断面図である。
【図３】  同じく、要部の横断面図である。
【図４】  同じく、多数の接着部材を備えた場合の説明図である。
【考案を実施するための形態】
【００１５】  以下、本考案に係る手の介助用具を一実施例について説明する。図１において、１は手に装着するためのバンド  このバンド１は適当な幅と厚さを備えており、全周のほぼ半分が手のひら部に位置するようになっている。２はバンド１に固着した接着部材で、突起状に構成する。この接着部材２の表面には、接着面２ａである粘着層を設ける。
【００１６】  ３は上記の接着部材２の近隣にして、これを囲繞するように設けたゴムなどの弾性部材  この弾性部材３はバンド１に固定してあり、自由状態において、押圧面３ａを接着面２ａより突出して設ける。また弾性部材３は、押圧によって収縮し、押圧面３ａを接着面２ａと同位置またはそれ以下に変形する。
【００１７】  上記の手の介助用具を装着し、手のひらをテーブル上のカード（図示省略）につけて押圧した場合、弾性部材３が収縮変形して接着部材２の接着面２ａがカードに接触し、これに接着する。よって、容易にカードを拾い上げることができる。
【００１８】  保持したカードを所定の位置へ移すとき、時間の経過と共に上記の弾性部材３が復元方向に変形し、カードを離脱方向に押圧する。このため、カードの取り外しを簡単に、しかも他方の手を煩わせずに行うことができる。
【００１９】  なお、一実施例では接着部材１を取り囲むようにして外側に弾性部材２を配設したが、これと反対に弾性部材２を中心に置き、その外側に接着部材１を配設しても良い。
【００２０】  また一実施例では、粘着剤によってカードなどを接着したが、これに代えてマグネットの磁性力を利用しても良い。この場合、カードとして鉄金属を用いる必要がある。なお、カードに磁性があれば、接着部材は、単なる鉄片を用いることができる。
【００２１】  上記の磁力による接着を行う場合は、粘着層を使用したものと違ってゴミの付着による接着力の低下などの問題がなく耐久的に使用することができる。
【００２２】  また一実施例ではカードを例にとって、その離脱について説明したが、対象物はブロック状のものでもよい、また材質は樹脂に限らず木材、紙、ゴムなど問題なく適用することができる。
【００２３】  また実施例では、一つの接着部材と、これを囲繞する１つの弾性部材について述べたが、接着対象に応じて数量を複数にして良いことは勿論である。
【符号の説明】
【００２４】      １    バンド
２    接着部材
２ａ  接着面
３    弾性部材
３ａ  押圧面
【図１】
0003180558.tif 000003
【図２】
0003180558.tif 000004
【図３】
0003180558.tif 000005
【図４】
0003180558.tif 000006